(57)【要約】【課題】複雑な電圧制御や高価な制御装置を用いることなく、再現性の高い鮮明なカラー表示を実現可能な粒子移動式表示装置、及びこの粒子移動式表示装置を備えた画像表示装置を低い製造コストで提供する。【解決手段】対向する基板４、６の間に、第１の極性に帯電し、各々の色が異なり、電圧を印加したときの各々の移動速度Ｖｒ、Ｖｂ、Ｖｇ、Ｖｂｋが異なる２種類以上の第１の極性帯電粒子３２、３４、３６、３８と、第１の極性と反対の第２の極性に帯電し、第１の極性帯電粒子と異なる色の１種類以上の帯電粒子であって、該帯電粒子が２種類以上ある場合には、各々の色が異なり、電圧を印加したときの各々の移動速度が異なる第２の極性帯電粒子３０とをその溶媒中に含む表示媒体が充填されている粒子移動式表示装置２、及びこの粒子移動式表示装置を備えた画像表示装置を提供する。【選択図】図３
2009244635.tif 000002
【特許請求の範囲】
【請求項１】
対向する基板の間に、
同一の極性（以下、「第１の極性」という）に帯電し、各々の色が異なり、電圧を印加したときの各々の移動速度が異なる２種類以上の第１の極性帯電粒子と、
前記第１の極性と反対の極性（以下、「第２の極性」という）に帯電し、前記第１の極性帯電粒子と異なる色の１種類以上の帯電粒子であって、該帯電粒子が２種類以上ある場合には、各々の色が異なり、電圧を印加したときの各々の移動速度が異なる第２の極性帯電粒子と、
が充填されていることを特徴とする粒子移動式表示装置。
【請求項２】
前記第１の極性帯電粒子または前記第２の極性帯電粒子の移動速度が、帯電粒子の色の比視感度に応じて定められることを特徴とする請求項２に記載の粒子移動式表示装置。
【請求項３】
前記第１の極性帯電粒子または前記第２の極性帯電粒子の移動速度を、各粒子の帯電量を帯電材の種類や添加量によって異ならせることを特徴とする請求項１または２に記載の粒子移動式表示装置。
【請求項４】
前記第１の極性帯電粒子または前記第２の極性帯電粒子の移動速度を、各粒子の形状によって異ならせることを特徴とする請求項１または２に記載の粒子移動式表示装置。
【請求項５】
前記第１の極性帯電粒子または前記第２の極性帯電粒子の移動速度を、各粒子の表面形状によって異ならせることを特徴とする請求項１または２に記載の粒子移動式表示装置。
【請求項６】
前記第１の極性帯電粒子または前記第２の極性帯電粒子の移動速度を、請求項２から５に記載の手段のうち少なくとも２つの手段の組み合わせによって異ならせることを特徴とする粒子移動式表示装置。
【請求項７】
前記第１の極性帯電粒子として少なくとも赤、緑、青の帯電粒子からなる粒子群かあるいは少なくともシアン、マゼンタ、イエローの帯電粒子からなる粒子群を含み、前記第２の極性帯電粒子が少なくとも白の帯電粒子からなることを特徴とする請求項１から６の何れか１項に記載の粒子移動式表示装置。
【請求項８】
前記第１の極性が正帯電極性であり、前記第２の極性が負帯電極性であることを特徴とする請求項７に記載の粒子移動式表示装置。
【請求項９】
請求項１から８の何れか１項に記載の粒子移動式表示装置と、
前記粒子移動式表示装置の表示面側に設置された電極と、
前記粒子移動式表示装置の背面側に設置された電極と、
前記表示面側の電極と前記背面側の電極との間に印加する電圧を制御する電圧制御部と、を備え、
前記粒子移動式表示装置に画像を表示することを特徴とする画像表示装置。
【請求項１０】
前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させる場合に、
前記第１の極性帯電粒子の中で最も移動速度の高い前記第１の極性帯電粒子が前記表示側基板至近位置に達したときに電圧の印加を停止することによって、前記最も移動速度の高い第１の極性帯電粒子の色を表示することを特徴とする請求項９に記載の画像表示装置。
【請求項１１】
前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させる場合に、
前記第１の極性帯電粒子の中で移動速度がｎ番目（ｎは２以上の整数）の前記第１の極性帯電粒子が前記表示側基板至近位置に達したときに表示側基板と背面基板との電位関係を反転させて、前記表示側基板至近位置に達した前記第１の極性帯電粒子をその移動速度が高い順に前記表示側基板至近位置から背面側へ離脱させ、
前記移動速度がｎ番目の第１の極性帯電粒子だけが前記表示側基板至近位置に存在する状態となったときに電圧の印加を停止することによって、前記移動速度がｎ番目の第１の極性帯電粒子の色を表示することを特徴とする請求項９に記載の画像表示装置。
【請求項１２】
前記電圧制御部により、表示側が前記第１の極性帯電粒子を引き寄せる電位となり背面側が前記第２の極性を引き寄せる電位となるように電圧を印加して、前記第１の極性帯電粒子をその移動速度が高い順に表示側基板至近位置に達するように移動させる場合に、
前記第１の極性帯電粒子の中で移動速度がｎ−ｍ番目（ｎは２以上の整数、ｍは１以上でｎ＞ｍを満たす整数）の前記第１の極性帯電粒子が前記表示側基板至近位置に達し、移動速度がｎ番目の前記第１の極性帯電粒子が前記表示側基板至近位置に達する前の所定のタイミングで表示側基板と背面基板との電位関係を反転させて、移動速度が１〜ｎ番目の前記第１の極性帯電粒子を各々の移動速度で表示側から背面側へ移動させ、
前記移動速度がｎ番目の第１の極性帯電粒子だけが前記表示側基板至近位置に存在する状態となったときに電圧の印加を停止することによって、前記移動速度がｎ番目の第１の極性帯電粒子の色を表示することを特徴とする請求項９に記載の画像表示装置。
【請求項１３】
前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させるかあるいは、その後表示側基板と背面基板との電位関係を反転させる場合に、
複数の色の前記第１の極性帯電粒子が前記表示側基板至近位置に存在する状態で電圧の印加を停止することによって、前記表示側基板至近位置に存在する前記第１の極性帯電粒子の色の混合色を表示することを特徴とする請求項９に記載の画像表示装置。
【請求項１４】
請求項１０から１３の何れか１項に記載の印加電圧に対して表示側基板と背面側基板との電位関係を反転させた電圧を印加することによって、前記第２の極性帯電粒子の色を表示することを特徴とする画像表示装置。
【発明の詳細な説明】
【技術分野】
【０００１】
本発明は、対向する基板間に帯電粒子が充填された粒子移動式表示装置、特にカラー表示が可能な粒子移動式表示装置に関し、更に、この粒子移動式表示装置を備えた画像表示装置に関する。
【背景技術】
【０００２】
対向する基板間に帯電粒子が充填された粒子移動式表示装置、及びこの粒子移動式表示装置を備えた画像表示装置が知られているが、近年、カラー表示が可能な表示装置の需要が高まっている。
これを実現するため、例えば、表示領域の各区画（セル）毎に、異なる色の帯電粒子を塗り分けて形成した粒子移動式表示装置が提案されている。しかし、この場合、各色の帯電粒子を区画毎に塗り分ける作業は大変手間がかかり、粒子移動式表示装置の製造コストが上昇する。
【０００３】
また、その他のカラー表示可能な粒子移動式表示装置として、カラーフィルタを用いてカラー表示を行う粒子移動式表示装置も提案されている（例えば、特許文献１参照）。しかし、一般的に、粒子移動式表示装置では、バックライト等を用いずに、外部光を反射させることによって表示を行うため、特許文献１に記載の粒子移動式表示装置では、カラーフィルタによる光の吸収により、表示が暗くなって鮮明なカラー表示を実現するのが困難となる。
そこで、これに対処するため、色の異なる３種類以上の帯電粒子を用いた粒子移動式表示装置が提案されている（例えば、特許文献２参照）。
【特許文献１】特開２００７−１４０１５７号
【特許文献２】特開２００７−１４０１２９号
【発明の開示】
【発明が解決しようとする課題】
【０００４】
特許文献２に記載された粒子移動式表示装置では、色の異なる少なくとも２種類の帯電粒子を備え、これらの帯電粒子は、同極性でかつ相互に電界閾値が異なる帯電特性を有する。これにより、電極から付与される電界の強さに応じて、それより低い電界閾値を有する帯電粒子だけを選択的に移動させて、カラー表示を実現する。よって、特許文献２に記載された粒子移動式表示装置では、帯電粒子の色を、フィルタを通さずに直接視認できるので、表示が暗くなることを防ぐことができる。
【０００５】
しかし、この粒子移動式表示装置では、各帯電粒子の電界閾値に応じて、複数種類の電圧制御が必要となるので、電圧駆動回路が複雑となり、高価な電圧制御装置を用いる必要がある。更に、実際に複数種類の帯電粒子が混在した状態では、各帯電粒子の電界閾値がばらついて不均一になることが予想されるため、適切なカラー表示を実現するのは困難である。また、これに対処するには、電界閾値のばらつきを考慮した非常に複雑な電圧制御が必要となる。
【０００６】
従って、本発明の目的は、上述の問題を解決して、複雑な電圧制御や高価な制御装置を用いることなく、再現性の高い鮮明なカラー表示を実現可能な粒子移動式表示装置、及びこの粒子移動式表示装置を備えた画像表示装置を低い製造コストで提供することにある。
【課題を解決するための手段】
【０００７】
上述の課題を解決するため、本発明の請求項１に係る粒子移動式表示装置の実施態様は、対向する基板の間に、同一の極性（以下、「第１の極性」という）に帯電し、各々の色が異なり、電圧を印加したときの各々の移動速度が異なる２種類以上の第１の極性帯電粒子と、前記第１の極性と反対の極性（以下、「第２の極性」という）に帯電し、前記第１の極性帯電粒子と異なる色の１種類以上の帯電粒子であって、該帯電粒子が２種類以上ある場合には、各々の色が異なり、電圧を印加したときの各々の移動速度が異なる第２の極性帯電粒子と、が充填されていることを特徴とする。
【０００８】
本実施態様によれば、同一の極性に帯電し、各々の色が異なり、電圧を印加したときの各々の移動速度が異なる２種類以上の帯電粒子を用いることによって、各帯電粒子の移動速度の差を用いて、表示したい色の帯電粒子を最も表示面側に配置させ、その状態で電圧の印加を停止することによって、所望の色の表示を実現することができる。また、互いに異なる極性に帯電した第１帯電粒子及び第２帯電粒子を用いることにより、更に多彩な色の表示を行うことができる。
【０００９】
従って、複雑な電圧制御や高価な制御装置を用いることなく、再現性の高い鮮明なカラー表示を実現することができる。また、本実施態様においては、表示領域の各区画に、全種類の帯電粒子を一様に入れるので、各色の帯電粒子を区画毎に塗り分ける必要がなく、粒子移動式表示装置の製造コストを低減できる。
【００１０】
本発明の請求項２に係る粒子移動式表示装置の実施態様は、前記第１の極性帯電粒子または前記第２の極性帯電粒子の移動速度が、帯電粒子の色の比視感度に応じて定められることを特徴とする。
【００１１】
本実施態様においては、例えば、緑色のような比較的比視感度が高い色の帯電粒子の移動速度を低くし、赤色のような比較的比視感度が低い色の帯電粒子の移動速度を高くすることができる。これによって、書換え時に比視感度が高い色の表示がないまたは少ないので、ちらつきの少ないカラー表示書換えを実現できる。
ただし、これに限られるものではなく、用途に応じては、逆に、比視感度が高い色の帯電粒子の移動速度が高く、比視感度が低い色の電粒子の移動速度を低くすることも考えられる。
【００１２】
本発明の請求項３に係る粒子移動式表示装置の実施態様は、前記第１の極性帯電粒子または前記第２の極性帯電粒子の移動速度を、各粒子の帯電量を電荷制御剤の種類や添加量によって異ならせることを特徴とする。
【００１３】
本実施態様によれば、帯電粒子の帯電量を、電荷制御剤の種類や添加量によって異ならせることができるので、帯電粒子が電界から受ける力に差異を付けることができる。これにより、帯電粒子の移動速度を異ならせることができるので、容易かつ確実に各帯電粒子の移動速度を設定することができる。
【００１４】
本発明の請求項４に係る粒子移動式表示装置の実施態様は、前記第１の極性帯電粒子または前記第２の極性帯電粒子の移動速度を、各粒子の形状によって異ならせることを特徴とする。
【００１５】
本実施態様によれば、帯電粒子の形状によって移動速度を異ならせることができるので、容易かつ確実に各帯電粒子の移動速度を設定することができる。
【００１６】
本発明の請求項５に係る粒子移動式表示装置の実施態様は、前記第１の極性帯電粒子または前記第２の極性帯電粒子の移動速度を、各粒子の表面形状によって異ならせることを特徴とする。
【００１７】
本実施態様によれば、帯電粒子の表面形状によって移動速度を異ならせることができるので、容易かつ確実に各帯電粒子の移動速度を設定することができる。
【００１８】
本発明の請求項６に係る粒子移動式表示装置の実施態様は、前記第１の極性帯電粒子または前記第２の極性帯電粒子の移動速度を、前記請求項２から５に記載の手段のうち少なくとも２つの手段の組み合わせによって異ならせることを特徴とする。
【００１９】
本実施態様によれば、各帯電粒子の移動速度を異ならせる手段を組み合わせることによって、広い速度範囲において、容易かつ確実に各帯電粒子に異なる移動速度を設定することができる。
【００２０】
本発明の請求項７に係る粒子移動式表示装置の実施態様は、前記第１の極性帯電粒子として少なくとも赤、緑、青の帯電粒子からなる粒子群かあるいは少なくともシアン、マゼンタ、イエローの帯電粒子からなる粒子群を含み、前記第２の極性帯電粒子が少なくとも白の帯電粒子からなることを特徴とする。
【００２１】
本実施態様によれば、第１の極性帯電粒子を用いて３原色を表示でき、更に、白だけを異なる極性に帯電させることによって、濁りの少ない白色を表示することができるので、鮮明なカラー表示を実現できる。
【００２２】
本発明の請求項８に係る粒子移動式表示装置の実施態様は、前記第１の極性が正帯電極性であり、前記第２の極性が負帯電極性であることを特徴とする。
【００２３】
本発明の請求項９に係る画像表示装置の実施態様は、請求項１から８の何れか１項に記載の粒子移動式表示装置と、前記粒子移動式表示装置の表示面側に設置された電極と、前記粒子移動式表示装置の背面側に設置された電極と、前記表示面側の電極と前記背面側の電極との間に印加する電圧を制御する電圧制御部と、を備え、前記粒子移動式表示装置に画像を表示することを特徴とする。
【００２４】
本実施態様によれば、複雑な電圧制御や高価な電圧制御装置を用いることなく、再現性の高い鮮明なカラー表示を実現することができる。
【００２５】
本発明の請求項１０に係る画像表示装置の実施態様は、前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させる場合に、前記第１の極性帯電粒子の中で最も移動速度の高い前記第１の極性帯電粒子が前記表示側基板至近位置に達したときに電圧の印加を停止することによって、前記最も移動速度の高い第１の極性帯電粒子の色を表示することを特徴とする。
【００２６】
本実施態様によれば、最も移動速度の高い第１の極性帯電粒子が表示側基板至近位置に達したときに電圧の印加を停止することによって、最も移動速度の高い第１の極性帯電粒子の色を表示することが可能であり、電界閾値等に応じて印加する電圧値を変更することなく、電圧印加時間を制御するだけで、容易に鮮明なカラー表示を実現できる。
なお、「表示側基板至近位置」とは、表示をしたい色の帯電粒子が、表示側基板に接する位置に配置された場合も含まれるし、表示側基板には接していないが、全帯電粒子の中で最も表示側基板に近い位置に配置された場合も含まれる。
【００２７】
本発明の請求項１１に係る画像表示装置の実施態様は、前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させる場合に、前記第１の極性帯電粒子の中で移動速度がｎ番目（ｎは２以上の整数）の前記第１の極性帯電粒子が前記表示側基板至近位置に達したときに表示側基板と背面基板との電位関係を反転させて、前記表示側基板至近位置に達した前記第１の極性帯電粒子をその移動速度が高い順に前記表示側基板至近位置から背面側へ離脱させ、前記移動速度がｎ番目の第１の極性帯電粒子だけが前記表示側基板至近位置に存在する状態となったときに電圧の印加を停止することによって、前記移動速度がｎ番目の第１の極性帯電粒子の色を表示することを特徴とする。
【００２８】
本実施態様によれば、移動速度が２番目以降の表示する色の帯電粒子が表示側基板至近位置に達したときに、表示側基板と背面基板との電位関係を反転させて、この帯電粒子だけが表示側基板至近位置に存在する状態となったときに、電圧の印加を停止することによって、この帯電粒子の色を表示することができる。つまり、本実施態様によれば、移動速度が２番目以降の任意の色の帯電粒子に関して、電界閾値等に応じて印加する電圧値を変更することなく、電圧印加時間、及び表示側基板と背面基板との電位関係を制御するだけで、容易に鮮明なカラー表示を実現できる。
【００２９】
本発明の請求項１２に係る画像表示装置の実施態様は、前記電圧制御部により、表示側が前記第１の極性帯電粒子を引き寄せる電位となり背面側が前記第２の極性を引き寄せる電位となるように電圧を印加して、前記第１の極性帯電粒子をその移動速度が高い順に表示側基板至近位置に達するように移動させる場合に、前記第１の極性帯電粒子の中で移動速度がｎ−ｍ番目（ｎは２以上の整数、ｍは１以上でｎ＞ｍを満たす整数）の前記第１の極性帯電粒子が前記表示側基板至近位置に達し、移動速度がｎ番目の前記第１の極性帯電粒子が前記表示側基板至近位置に達する前の所定のタイミングで表示側基板と背面基板との電位関係を反転させて、移動速度が１〜ｎ番目の前記第１の極性帯電粒子を各々の移動速度で表示側から背面側へ移動させ、前記移動速度がｎ番目の第１の極性帯電粒子だけが前記表示側基板至近位置に存在する状態となったときに電圧の印加を停止することによって、前記移動速度がｎ番目の第１の極性帯電粒子の色を表示することを特徴とする。
【００３０】
本実施態様によれば、移動速度が２番目以降の表示する色の帯電粒子が表示側基板至近位置に達する前に、表示側基板と背面基板との電位関係を反転させて、この帯電粒子だけが表示側基板至近位置に存在する状態となったときに、電圧の印加を停止することによって、この帯電粒子の色を表示することができる。
つまり、本実施態様によれば、移動速度が２番目以降の任意の色の帯電粒子に関して、電界閾値等に応じて印加する電圧値を変更することなく、電圧印加時間、及び表示側基板と背面基板との電位関係を制御するだけで、時間的に効率よく、容易に鮮明なカラー表  示を実現できる。
【００３１】
本発明の請求項１３に係る画像表示装置の実施態様は、前記電圧制御部により、表示側が前記第１の極性帯電粒子を引き寄せる電位となり背面側が前記第２の極性帯電粒子を引き寄せる電位となるように電圧を印加して、前記第１の極性帯電粒子をその移動速度が高い順に表示側基板至近位置に達するように移動させるかあるいは、その後表示側基板と背面基板との電位関係を反転させる場合に、複数の色の前記第１の極性帯電粒子が前記表示側基板至近位置に存在する状態で電圧の印加を停止することによって、前記表示側基板至近位置に存在する前記第１の極性帯電粒子の色の混合色を表示することを特徴とする。
【００３２】
本実施態様によれば、複数の色の帯電粒子が表示側基板至近位置に存在する状態で電圧の印加を停止することによって、これらの帯電粒子の色の混合色を表示することができるので、更に多様なカラー表示を実現できる。また、表示の書換時間を短縮して、消費電力を抑制することもできる。
【００３３】
本発明の請求項１４に係る画像表示装置の実施態様は、請求項１０から１３の何れかに記載の印加電圧に対して表示側基板と背面側基板の電位関係を反転した電圧を印加することによって、前記第２の極性帯電粒子の色を表示することを特徴とする。
【００３４】
本実施態様によれば、第２の極性帯電粒子の色を表示することができるので、更に様々な色について、容易に再現性の高い鮮明なカラー表示を実現することができる。
【発明の効果】
【００３５】
以上のように、本発明に係る粒子移動式表示装置及び画像表示装置においては、複雑な電圧制御や高価な電圧制御装置を用いることなく、再現性の高い鮮明なカラー表示を実現することができる。また、本発明においては、表示領域の各区画に、全種類の帯電粒子を一様に入れるので、各色の帯電粒子を区画毎に塗り分ける必要がなく、粒子移動式表示装置及び画像表示装置の製造コストを低減できる。
【発明を実施するための最良の形態】
【００３６】
本発明に係る粒子移動式表示装置及び画像表示装置の実施形態について、以下に図面を用いながら詳細に説明する。
（本発明に係る粒子移動式表示装置の１つの実施形態の説明）
始めに、図１を用いて、本発明に係る粒子移動式表示装置の１つ実施形態の構造の概要について説明を行う。本実施形態では、帯電粒子をその溶媒中に含む表示媒体が充填された湿式の表示装置を例にとって説明する。ただし、これに限られるものではなく、帯電粒子のみが充填された乾式の表示装置を用いることも可能である。また、不活性ガスや乾燥ガスを帯電粒子と一緒に充填してもよい。
【００３７】
ここで、図１は、本発明に係る粒子移動式表示装置２（以下の説明では、「表示装置２」と記載する）を表示面側から見た平面図であり、表示側基板４の一部を切り欠いて、内部が露出するように示されている。図１の切り欠き部分から明らかなように、この表示装置２では、隔壁１４で囲まれた表示領域には、表示面側から見て十字状に形成された、表示領域を区分するための隔壁８が複数配置されて、各画素毎に隔壁８で区分された略正方形の区画４０が複数形成されている。つまり、隔壁８が格子状に形成される場合において、直交する隔壁８の交点と交点との間の領域において、隔壁８が連続しておらず、所定の隙間を有している。
ただし、これに限られるものではなく、格子状の隔壁８が連続的に形成された実施形態も考えられる。また、本実施形態では、各画素毎に隔壁８で区分された区画４０が設けられているが、これに限られるものではなく、複数の画素ごとに隔壁８を設けて、複数の画素を含む区画４０を形成することもできる。
【００３８】
また、図２及び図３は、図１の矢印Ａ−Ａから見た側面断面図であって、表示装置２の内部構造を模式的に示している。図２及び図３における上側の面が、表示面であり、下側の面が背面である。
ここで、図２には、色の異なる４種類の帯電粒子が収容された４粒子系の表示装置２を示し、図３には、色の異なる５種類の帯電粒子が収容された５粒子系の表示装置２を示す。なお、帯電粒子の色とは、帯電粒子を外側から見たときに視認できる色を意味する。
【００３９】
始めに、図２に示す４粒子系の表示装置２について説明を行う。図２に示すように、表示装置２は、共通電極１０を備えた表示側基板４と、画素電極１２を備えた背面側の対向基板６と、表示側基板４と対向基板６との間に設けられた隔壁８とから主に構成される。本実施形態では、表示装置２は、各画素毎に隔壁８で区分され、隔壁８で区分された区画４０毎に、個別の画素電極１２が設けられている。また、表示側基板４では、隔壁８が連続していない部分にも電極が設けられ、これによって、隔壁８で区分された各区画４０の電極が互いに電気的に接続されて、共通電極１０を形成している。
【００４０】
共通電極１０と画素電極１２とは、電極の厚み分は除き、隔壁８の高さの分だけ離れて対向配置されている。
なお、表示装置２を備えて表示装置２に画像を表示する画像表示装置は、更に、共通電極１０と画素電極１２との間に印加する電圧を制御する電圧制御部を備え、共通電極１０と画素電極１２の間に、所定の極性、所定の強度の電界を発生させることにより、両電極間に封入された帯電粒子を移動させて、表示の書換を行うことができる。
【００４１】
本実施形態では、共通電極１０と画素電極１２との間に形成された密閉空間に、４種類の帯電粒子３０〜３６をその溶媒中に含む表示媒体が封入されている。この帯電粒子３０〜３６の材料としては、本実施形態では、メタクリル樹脂（ＰＭＭＡ）を用いているが、これに限られるものではなく、その他、フッ素化アクリル樹脂、ポリカルボネート（ＰＣ）、高密度ポリエチレン（ＨＤＰＥ）、ポリプロピレン（ＰＰ）、アクリロニトリルブタジエンスチレン（ＡＢＳ)、ポリエチレンテレフタレート（ＰＥＴ）、ポリアセタール（ＰＯＭ)、ポリスチレン（ＰＳ）等を用いることができる。また、各帯電粒子３０〜３６を所望の色に発色させる手段としては、原材料が元々有する色を用いることも考えられるし、所望の色の着色材料を原材料に添加することも考えられるし、形成した帯電粒子の表面に所望の色の塗布層またはコーティング層を形成することも考えられるし、その他の任意の発色手段を用いることができる。
また、溶媒としては、高い絶縁性を有する炭化水素、シリコーンオイル等の溶媒を、適宜用いることができる。
【００４２】
帯電粒子について、更に詳細に述べれば、図２に示すように、共通電極１０と画素電極１２との間の空間に、負に帯電した白色の帯電粒子３０（以下、「白帯電粒子３０」と記載する）、正に帯電した赤色の帯電粒子３２（以下、「赤帯電粒子３２」と記載する）、正に帯電した青色の帯電粒子３４（以下、「青帯電粒子３４」と記載する）、及び正に帯電した緑色の帯電粒子３６（以下、「緑帯電粒子３６」と記載する）の４種類の帯電粒子が封入されている。これらの帯電粒子３０〜３６は、何れも同一半径を有した球状の形状を有している。
ここで、正に帯電した赤（ｒｅｄ）帯電粒子３２、青（ｂｌｕｅ）帯電粒子３４、緑（ｇｒｅｅｎ）帯電粒子３６における、電極１０、１２間に電圧を印加したときの移動速度を、それぞれＶｒ、Ｖｂ、Ｖｇとすると、本実施形態においては、Ｖｒ＞Ｖｂ＞Ｖｇの関係を有している
【００４３】
本実施形態では、正に帯電した青、赤、緑（光の３原色）の帯電粒子が用いられているが、これに限られるものではなく、例えば、シアン、マゼンタ、イエロー（顔料の３原色）の帯電粒子を用いることもできる。なお、これらの帯電粒子３０〜３６を用いた表示の書換方法の詳細な説明については、図４Ａ〜４Ｆを用いて後述する。
【００４４】
本実施形態の表示装置２の寸法としては、例えば、区画４０の幅、つまり隣り合う隔壁８の距離が２５０μｍ、共通電極１０と画素電極１２との間の電極間距離が４０μｍであることを例示することができる。ただし、表示装置２の寸法は、これに限られるものではなく、その他の任意の寸法を採用することができる。
【００４５】
本実施形態の表示装置２の材料の概略を述べれば、表示側基板４は、高い透明性と高い絶縁性を有する材料によって形成され、例えば、ポリエチレンナフタレート、ポリエーテルサルホン、ポリイミド、ポリエチレンテレフタレート等の樹脂材料や、ガラス材料等を用いることができる。また、共通電極１０は、高い透明性を有し、電極として利用できる材料によって形成され、例えば、ＩＴＯ（Ｉｎｄｉｕｍ  Ｔｉｎ  Ｏｘｉｄｅ）等の導電性酸化物や導電性高分子を用いることができる。
また、対向基板６は、高い絶縁性を有する材料によって形成され、例えば、ガラスや絶縁コート処理された金属フィルム等の材料や、ポリエチレンテレフタレート等の樹脂材料を用いることができる。なお、対向基板６は、表示基板４と異なり、透明でも不透明でもよい。また、画素電極１２は、例えば、共通電極１０と同じ材料に加えて、銅材料のような不透明の材料を用いることができる。
また、隔壁８については、対向基板６と同様な材料を用いることができる。
【００４６】
次に、図３に示す５粒子系の表示装置２について説明を行う。上記の４粒子系の表示装置２から異なる点は、上記の４種類の帯電粒子３０〜３６に加えて、正に帯電した黒色で球状の帯電粒子３８（以下、「黒帯電粒子３８」と記載する）が、共通電極１０と画素電極１２との間の空間に封入されている点である。つまり、図３に示す５粒子系の表示装置２では、負に帯電した白帯電粒子３０、正に帯電した赤帯電粒子３２、青帯電粒子３４、緑帯電粒子３６及び黒帯電粒子３８が封入されている。なお、黒帯電粒子３８は、その他の帯電粒子３０〜３６と同様な材料から構成されている。
【００４７】
ここで、正に帯電した赤（ｒｅｄ）帯電粒子３２、青（ｂｌｕｅ）帯電粒子３４、緑（ｇｒｅｅｎ）帯電粒子３６、黒（ｂｌａｃｋ）帯電粒子３８における、電極１０、１２間に電圧を印加したときの移動速度を、それぞれＶｒ、Ｖｂ、Ｖｇ、Ｖｂｋとすると、本実施形態においては、Ｖｒ＞Ｖｂ＞Ｖｇ＞Ｖｂｋの関係を有している
その他の点については、図３に示す５粒子系の表示装置２は、寸法、材質を含め、図２に示す４粒子系の表示装置２と基本的に同一である。なお、これらの帯電粒子３０〜３８を用いた表示の書換方法の詳細な説明については、図５Ａ〜５Ｈを用いて後述する。
【００４８】
（本発明に係る表示装置における表示の書換方法の説明）
次に、図２に示す４粒子系の表示装置２、及び図３に示す５粒子系の表示装置２における表示の書換方法の説明を行う。
＜４粒子系の表示装置における表示の書換方法の説明＞
始めに、図４Ａ〜図４Ｆを用いて、４粒子系の表示装置２における表示の書換方法の説明を行う。
【００４９】
図４Ａ〜図４Ｆに示すように、負に帯電した白帯電粒子３０と、正に帯電し各々の移動速度が異なる赤帯電粒子３２、青帯電粒子３４、及び緑帯電粒子３６とを用いて、白色表示（図４Ａ参照）、赤色表示（図４Ｂ参照）、青色表示（図４Ｄ参照）、黒色表示（図４Ｅ参照）、緑表示（図４Ｆ参照）等を行うことができる。
上記のように、本実施形態においては、正に帯電した赤帯電粒子３２の移動速度Ｖｒ、青帯電粒子３４の移動速度Ｖｂ、及び緑帯電粒子３６の移動速度Ｖｇについては、Ｖｒ＞Ｖｂ＞Ｖｇの関係を有する。
【００５０】
つまり、正に帯電した３つの帯電粒子のうち、比視感度が最も低い赤色の帯電粒子３２の移動速度Ｖｒが最も高く、比視感度が最も高い緑色の帯電粒子３６の移動速度Ｖｇが最も低くなっている。移動速度について、更に詳細に述べれば、例えば、共通電極１０と画素電極１２との間の距離Ｌを４０μｍとして、最も速い赤帯電粒子３２の移動速度Ｖｒを、この電極間距離を約５０ｍｓｅｃで到達できる速度（Ｖｒ＝４０μｍ／５０ｍｓｅｃ＝８００μｍ／ｓｅｃ）とし、最も遅い緑帯電粒子３６の移動速度Ｖｇを、約１００ｍｓｅｃで到達できる速度（Ｖｇ＝４０μｍ／１００ｍｓｅｃ＝４００μｍ／ｓｅｃ）とすることができる。また、中間の速さの青帯電粒子の移動速度Ｖｂを、ＶｒとＶｇのほぼ中間値とすることができる。なお、この移動速度は一例であって、その他の任意の移動速度を採用することができる。
【００５１】
＜＜帯電粒子の移動速度に差異を付ける手段の説明＞＞
各帯電粒子の移動速度に差異を付ける手段としては、下記の手段が考えられる。
手段１  ：  帯電粒子の帯電量を、電荷制御剤の種類や添加量を異ならせることによって、電界から受ける力に差異を付けることができる。同じ強さの電界を帯電粒子に印加した場合、帯電量が多い帯電粒子の方が電界からより大きな力を受けるので、移動速度が高い値となり、帯電量が少ない帯電粒子の方が電界から受ける力は小さいので、移動速度が低い値となる。
ここで、正帯電性を付与する電荷制御剤として、例えば、第四級アンモニウム塩類やニグロシン系染料等を挙げることができ、一方、負帯電性を付与する電荷制御剤として、例えば、含金属サリチル酸錯体、含クロル有機染料等を挙げることができる。ただし、これに限られるものではなく、その他の任意の電荷制御剤を用いることができる。
また、粒子表面に外添処理する表面処理剤、例えば、シリカ微粒子等により帯電粒子の帯電量を制御することもできるし、これら複合させて帯電量を制御することもできる。
【００５２】
手段２  ：  帯電粒子の形状を異ならせること
帯電粒子の形状を異ならせることによって、その流動抵抗の大きさを異ならせて、仮に、電界から同じ力が加えられた場合であっても、その移動速度を異ならせることができる。
例えば、同じ体積の球形の帯電粒子と、長円形の断面形状を有する円盤状の帯電粒子とを比較すると、仮に、電界から同じ力が加えられた場合に、円盤状の帯電粒子は、最も投影面積が小さくなる面が移動方向に対して垂直になるような姿勢で移動するので、円盤状の帯電粒子の方が、球状の帯電粒子より移動中の流動抵抗を小さくできる。従って、円盤状の帯電粒子の方が、球状の帯電粒子よりもその移動速度を高くすることができる。
なお、円盤状及び球状の形状は、あくまで一例であり、その他の任意の形状を用いて、帯電粒子の移動速度に差異を付けることができる。
【００５３】
手段３  ：  帯電粒子の表面形状を異ならせること
帯電粒子の表面形状を異ならせることによって、その流動抵抗の大きさを異ならせて、仮に、電界から同じ力が加えられた場合であっても、その移動速度を異ならせることができる。
例えば、表面形状以外は同一な帯電粒子において、滑らかな表面形状を有する帯電粒子と、表面に凹凸形状を有する帯電粒子とを比較すると、仮に、電界から同じ力が加えられた場合であっても、滑らかな表面形状を有する帯電粒子の流動抵抗は、凹凸形状を有する帯電粒子の流動抵抗よりも小さいので、その移動速度を高くすることができる。
なお、上記の表面形状は、あくまで一例であり、その他の任意の表面形状を用いて、帯電粒子の移動速度に差異を付けることができる。
【００５４】
以上のような帯電粒子の移動速度を異ならせる手段は、それぞれ単独で用いることもできるし、複数の手段を組み合わせることもできる。これによって、各帯電粒子の移動速度について、明確に差異を付けることができ、延いては、再現性の高い鮮明なカラー表示を実現することができる。
なお、帯電粒子の移動速度を異ならせる手段は、上記に限られるものではなく、その他の任意の方法を用いることができる。
【００５５】
＜＜図４Ａの説明＞＞
以上のような帯電粒子３０〜３６が封入された表示装置２において、まず、図４Ａに示すように、表示面側の共通電極１０が正極となり、背面側の画素電極１２が負極となるように電圧を印加して電界を形成する。これによって、負に帯電した白帯電粒子３０が表示側基板４の近傍または表示側基板４に接する位置（以下、「表示側基板至近位置」と記載する）に移動し、正に帯電した赤帯電粒子３２、青帯電粒子３４、及び緑帯電粒子３６が、背面側の対向基板６の近傍または対向基板６に接する位置（以下、「背面側基板至近位置」と記載する）に移動する。
この状態で電圧印加を停止すると、各帯電粒子３０〜３６の位置関係が保持される。この状態を表示面側から見たとき、最も表示面側の位置に白帯電粒子３０の層が配置されているので、隔壁８で区分された区画４０は、白色表示される。
【００５６】
＜＜図４Ｂの説明＞＞
この白色表示の状態から、図４Ａの場合における電極１０と電極１２の電位関係を反転させて、表示面側の共通電極１０が負極となり、背面側の画素電極１２が正極となるように電圧を印加する。これで形成された電界により、表示側基板至近位置にいた負に帯電した白帯電粒子３０が背面側へ移動し、背面側基板至近位置にいた正に帯電した赤帯電粒子３２、青帯電粒子３４、及び緑帯電粒子３６が表示面側へ移動する。
この場合、正に帯電した各帯電粒子３２、３４、３６は、その移動速度が高い（Ｖｒ＞Ｖｂ＞Ｖｇ）順に表示側基板至近位置に達するように移動する。つまり、電圧印加を継続させると、赤帯電粒子３２、青帯電粒子３４、緑帯電粒子３６の順番で、表示側基板至近位置に達することになる。
【００５７】
ここで、図４Ｂに示すように、赤帯電粒子３２が表示側基板至近位置に達した時点で、電圧印加を停止すると、各帯電粒子３０〜３６の位置関係が保持される。この状態を表示面側から見たとき、最も表示面側の位置に赤帯電粒子３２の層が配置されているので、隔壁８で区分された区画４０は、赤色表示される。以上により、正に帯電した複数種類の帯電粒子３２〜３６の中で、最も移動速度の高い赤帯電粒子３２の色を表示することができる。
【００５８】
＜＜図４Ｃの説明＞＞
この赤色表示の状態から、再び同じ電位関係、つまり表示面側の共通電極１０が負極となり、背面側の画素電極１２が正極となるように電圧を印加すると、図４Ｃに示すように、赤帯電粒子３２に引き続いて、青帯電粒子３４が表示側基板至近位置に達する状態になる。なお、図４Ａに示す白色表示から、赤帯電粒子３２が表示側基板至近位置に達した時点で電圧印加を停止せずに、そのまま電圧印加を継続した場合には、図４Ａに示す白色表示から図４Ｃに示す状態まで、連続的に変化させることができる。
また、図４Ｃでは、白帯電粒子３０が、まだ背面側基板至近位置に達しておらず、共通電極１０からＬｗ離れた位置にいる。この距離Ｌｗについては、帯電粒子の移動速度の関係式の説明において、追って詳細に説明する。
【００５９】
この図４Ｃに示す状態は、図４Ｂに示す赤色表示から、図４Ｄに示す青色表示、または図４Ｅに示す黒色表示へ移行させる書換途中の段階といえるが、仮に、この状態で電圧印加を停止した場合には、各帯電粒子３０〜３６の位置関係が保持され、赤色と青色の混合色（つまり紫色）を表示することができる。
各画素に対応する区画４０では、赤、青、緑の３原色を表示し、３原色で表示された各画素の組み合わせによって、混合色を表示するのが基本であるが、本実施形態では、各画素において混合色を表示することも可能である。これは、カラーフィルタを用いたカラー表示では実現できない方法であり、更に多様なカラー表示を可能にし、表示の書換時間の短縮や消費電力の削減にも貢献することができる。
【００６０】
＜＜図４Ｄの説明＞＞
次に、青帯電粒子３４が表示側基板至近位置に達した時点で（図４Ｃ参照）、電極１０と電極１２の電位関係を反転させて、表示面側の共通電極１０が正極となり、背面側の画素電極１２が負極となるように電圧を印加する。これによって、表示面側基板至近位置にいた正に帯電した赤帯電粒子３２及び青帯電粒子３４が、その移動速度が高い（Ｖｒ＞Ｖｂ）順に背面側に移動する。つまり、図４Ｄに示すように、赤帯電粒子３２が青帯電粒子３４よりも背面側に進んで、青帯電粒子３４だけが表示側基板至近位置にいる状態が形成される。
【００６１】
この時点で電圧印加を停止すると、各帯電粒子３０〜３６の位置関係が保持され、この状態を表示面側から見たとき、最も表示面側の位置に青帯電粒子３４の層が配置されているので、隔壁８で区分された区画４０は、青色表示がなされる。
この場合、鮮明な青色表示を実現するには、電極１０と電極１２の電位関係の逆転により、表示面側に移動する白帯電粒子３０が、青帯電粒子３４よりも表示面側にくることを防ぐ必要があるが、この点については、追って詳細に説明する。
【００６２】
なお、図４Ｄに示す場合には、青帯電粒子３４の層が最も表示面側の位置に配置されているが、形成された電界により、青帯電粒子３４も背面側に移動するので、青帯電粒子３４は共通電極１０と接する位置ではなく、共通電極１０からある程度離れた位置に配置される。しかし、共通電極１０（表示面）との距離によって、表示画像のコントラストに大きな差異が生じないので、最も表示面側の位置に配置された帯電粒子の色を鮮明に表示することができる。
【００６３】
＜＜図４Ｅの説明＞＞
次に、青帯電粒子３４が表示側基板至近位置に達した時点で（図４Ｃ参照）、電極１０と電極１２の電位関係を反転させることなく、表示面側の共通電極１０が負極となり、背面側の画素電極１２が正極となるような電圧印加を継続すると、赤帯電粒子３２及び青帯電粒子３４に引き続いて、緑帯電粒子３６が表示側基板至近位置に達する。また、図４Ｅでは、白帯電粒子３０も、背面側基板至近位置に達する。
この時点で電圧印加を停止すると、各帯電粒子３０〜３６の位置関係が保持され、この状態を表示面側から見たとき、最も表示面側の位置には、赤帯電粒子３２、青帯電粒子３４、及び緑帯電粒子３６の３原色が配置されているので、隔壁８で区分された区画４０は、それらの混合色である濃色（黒色）表示がなされる。
【００６４】
＜＜図４Ｆの説明＞＞
次に、赤帯電粒子３２及び青帯電粒子３４に引き続いて、緑帯電粒子３６が表示側基板至近位置に達した時点で（図４Ｅ参照）、電極１０と電極１２の電位関係を反転させて、表示面側の共通電極１０が正極となり、背面側の画素電極１２が負極となるように電圧を印加する。これによって、表示面側基板至近位置にいた正に帯電した赤帯電粒子３２、青帯電粒子３４、及び緑帯電粒子３６は、その移動速度が高い（Ｖｒ＞Ｖｂ＞Ｖｇ）順に背面側に移動する。つまり、図４Ｆに示すように、赤帯電粒子３２が青帯電粒子３４よりも背面側に進み、青帯電粒子３４が緑帯電粒子３６よりも背面側に進んで、緑帯電粒子３６だけが表示側基板至近位置にいる状態が形成される。
【００６５】
この時点で電圧印加を停止すると、各帯電粒子３０〜３６の位置関係が保持され、この状態を表示面側から見たとき、最も表示面側の位置に緑帯電粒子３６の層が配置されているので、隔壁８で区画された表示領域は、緑色表示される。
なお、この場合、鮮明な緑色表示を実現するには、電極１０と電極１２の電位関係の逆転により、表示面側に移動する白帯電粒子３０が、緑帯電粒子３６よりも表示面側にくることを防ぐ必要があるが、この点については、追って詳細に説明する。
【００６６】
以上のように、図４Ｄに示す青色表示や、図４Ｆに示す緑色表示のように、正に帯電した複数種類の帯電粒子３２〜３６のうち、移動速度が２番目以降の帯電粒子について、その帯電粒子が表示側基板至近位置に到達した時点で、電極１０と電極１２の電位関係を反転させることによって、その帯電粒子を最も表示面側の位置に配置して、その帯電粒子の色を表示することができる。
なお、同極性に帯電した複数種類の帯電粒子の数として、４粒子系の実施形態では３つの帯電粒子３２〜３６を用い、後述する５粒子系の実施形態では４つの帯電粒子３２〜３８を用いているが、これらに限られるものではなく、その他の任意の数の帯電粒子を用いることができる。
【００６７】
つまり、任意の数の帯電粒子に適用可能な一般的な言い方をすれば、本発明に係る表示装置においては、正に帯電した移動速度がｎ番目（ｎは２以上の整数）の帯電粒子が表示側基板至近位置に達したときに電極１０と電極１２の電位関係を反転させて、表示側基板至近位置に達した帯電粒子をその移動速度が高い順に背面側へ移動させ、移動速度がｎ番目の帯電粒子だけが表示側基板至近位置に存在する状態となったときに、電圧の印加を停止することによって、その帯電粒子の色を表示することができる。
【００６８】
また、本実施形態では、表示する色の帯電粒子（例えば、青帯電粒子３４や緑帯電粒子３６）が表示側基板至近位置に到達した時点で、電極１０と電極１２の電位関係を反転させているが、これに限られるものではなく、表示する色の帯電粒子が表示側基板至近位置に到達する前に、電極１０と電極１２の電位関係を反転させて、帯電粒子を移動速度が高い順に背面側へ移動させることもできる。この場合、表示する色の帯電粒子よりも移動速度の高い帯電粒子が、表示する色の帯電粒子を追い越して背面側に移動して、表示する色の帯電粒子だけを最も表示面側の位置に配置することができる。
【００６９】
このことを、任意の数の帯電粒子に適用可能な一般的な言い方で示せば、本発明に係る表示装置においては、正に帯電した帯電粒子の中で移動速度がｎ−ｍ番目（ｎは２以上の整数、ｍは１以上でかつｎ＞ｍを満たす整数）の帯電粒子が表示側基板至近位置に達し、移動速度がｎ番目の帯電粒子が表示側基板至近位置に達する前の時期に電極１０と電極１２の電位関係を反転させて、移動速度が１〜ｎ番目の帯電粒子を各々の移動速度で表示側から背面側へ移動させ、移動速度がｎ番目の帯電粒子だけが表示側基板至近位置に存在する状態となったときに電圧の印加を停止することによって、その帯電粒子の色を表示することができる。
【００７０】
以上のように、負に帯電した白帯電粒子３０と、正に帯電し移動速度がそれぞれ異なる赤帯電粒子３２、青帯電粒子３４、及び緑帯電粒子３６とを用いた４粒子系の表示装置２によって、各画素に対応する隔壁８で区分された区画４０に、白、黒、及び赤、青、緑の３原色、並びにそれらの混合色を表示することができる。この場合、電界閾値を用いた電圧制御を行うことなく、つまり、複雑な電圧制御や高価な電圧制御装置を用いることなく、一定の値の電圧印加における印加時間の制御、及び電極１０と電極１２の電位関係の反転制御のみによって、容易に再現性の高い鮮明なカラー表示を実現することができる。また、白帯電粒子３０の帯電極性を、他の色の帯電粒子の帯電極性の逆極性としているので、濁りの少ない白色を表示することができる。
【００７１】
また、本実施形態では、隔壁８で囲まれた各区画４０に、各色の帯電粒子を塗り分ける必要がないので、カラー表示用の表示装置２の製造を容易にして、その製造コストを低減できる。
更に、本実施形態においては、比較的比視感度の低い赤色の帯電粒子３０の移動速度が高く、比較的比視感度の高い緑色の帯電粒子３６の移動速度が低く設定されているので、書換え時に比視感度が高い色の表示がないまたは少ないので、ちらつきの少ないカラー表示書換えを行うこともできる。
【００７２】
このように、比視感度の高い帯電粒子の移動速度よりも、比視感度の低い帯電粒子の移動速度を速く設定しておくことが望ましい。なお、複数種の帯電粒子の移動速度を比視感度の低い順に速く設定してもよいが、すべての帯電粒子の移動速度を厳密に比視感度の低い順に設定する必要はない。
例えば、比視感度の高い順に、帯電粒子Ａ、帯電粒子Ｂ、帯電粒子Ｃ、帯電粒子Ｄが存在する場合について考える。このとき、ちらつきの原因に最も起因する帯電粒子Ａの移動速度を最も遅く設定しておけば、残りの種類の帯電粒子の移動速度を比視感度の低い順に速く設定しなくとも、ある程度ちらつきを防止することができる。
または、帯電粒子Ｂの比視感度と帯電粒子Ａの比視感度とにそれほど大差が無い場合は、各粒子の移動速度を速い順に、帯電粒子Ｄ、帯電粒子Ｃ、帯電粒子Ａ、帯電粒子Ｂとなるように設定してもよい。
【００７３】
また、例えば帯電粒子Ｃの色をあまり表示しない場合は、帯電粒子Ｃの移動速度を帯電粒子Ａ、帯電粒子Ｂの移動速度よりも遅く設定してもよい。この場合には、各帯電粒子の移動速度は速い順から、帯電粒子Ｄ、帯電粒子Ｂ、帯電粒子Ａ、帯電粒子Ｃとなる。このように、少なくとも一組（例えば、帯電粒子Ａと帯電粒子Ｄ、または、帯電粒子Ｂと帯電粒子Ｄ）において、比視感度低いものよりも比視感度の高いものの移動速度を遅くする（例えば、帯電粒子Ａの移動速度が帯電粒子Ｄの移動速度よりも遅くする、または、帯電粒子Ｂの移動速度が帯電粒子Ｄの移動速度よりも遅くする）ようにしておけば、書換時にちらつきを抑えることができる。
なお、上述のように、複数種の帯電粒子の移動速度を比視感度の低い順に速く設定すれば（例えば、移動速度の速い順に、帯電粒子Ｄ、帯電粒子Ｃ、帯電粒子Ｂ、帯電粒子Ａとなるように設定すれば）、書換時には最もちらつきを少なくして、全ての色を表示することが可能となる。
【００７４】
＜５粒子系の表示装置における表示の書換方法の説明＞
次に、図５Ａ〜図５Ｈを用いて、５粒子系の表示装置２における表示の書換方法の説明を行う。
図５Ａ〜図５Ｈに示すように、負に帯電した白帯電粒子３０と、正に帯電し各々の移動速度が異なる赤帯電粒子３２、青帯電粒子３４、緑帯電粒子３６、及び黒緑帯電粒子３８とを用いて、白色表示（図５Ａ参照）、赤色表示（図５Ｂ参照）、青色表示（図５Ｄ参照）、緑色表示（図５Ｆ参照）、黒色表示（図５Ｇ、Ｈ参照）等を行うことができる。
上記のように、本実施形態においては、正に帯電した赤帯電粒子３２の移動速度Ｖｒ、青帯電粒子３４の移動速度Ｖｂ、緑帯電粒子３６の移動速度Ｖｇ、及び黒帯電粒子３８の移動速度Ｖｂｋについては、Ｖｒ＞Ｖｂ＞Ｖｇ＞Ｖｂｋの関係を有する。
【００７５】
各帯電粒子の移動速度について、更に詳細に述べれば、例えば、共通電極１０と画素電極１２との間の距離Ｌを４０μｍとして、最も速い赤帯電粒子の移動速度Ｖｒを、この電極間距離を約５０ｍｓｅｃで到達できる速度（Ｖｒ＝４０μｍ／５０ｍｓｅｃ＝８００μｍ／ｓｅｃ）とし、最も遅い黒帯電粒子３８の移動速度Ｖｂｋを、約１００ｍｓｅｃで到達できる速度（Ｖｂｋ＝４０μｍ／１００ｍｓｅｃ＝４００μｍ／ｓｅｃ）とすることができる。また、中間の速さの青帯電粒子３４及び緑帯電粒子３６の移動速度Ｖｂ、Ｖｇについては、移動速度ＶｒとＶｂｋの間を等分するような値とすることができる。ただし、これらは一例であって、その他の任意の移動速度に設定することができる。
【００７６】
＜＜図５Ａから図５Ｆの説明＞＞
以上のような帯電粒子３０〜３８が封入された表示装置２において、図５Ａから図５Ｆに示す表示の書換については、黒帯電粒子３８を用いた表示ではないので、基本的に、図４Ａから図４Ｆに示す表示の書換と同様である。よって、詳細な説明は省略する。
なお、図５Ｅに示す５粒子系の書換段階は、図４Ｅに示す４粒子系の濃色（黒色）表示に対応するものであるが、図５Ｅでは、赤帯電粒子３２、青帯電粒子３４、及び緑帯電粒子３６が表示側基板至近位置に達しているが、黒帯電粒子３８は、まだ表示側基板至近位置に達していない状態になっている。
また、図４Ｅでは、白帯電粒子が背面側基板至近位置に達した状態になっているが、図５Ｅでは、白帯電粒子３０が、まだ背面側基板至近位置に達しておらず、共通電極１０からＬｗ’離れた位置にいる。この距離Ｌｗ’については、帯電粒子の移動速度の関係式の説明において、追って詳細に説明する。
【００７７】
図５Ｅに示す場合には、図４Ｅに示す黒色表示と同様に、３原色の混色による濃色（黒色）表示も可能であるが、よりコントラストの高い表示を行うため、５粒子系の本実施形態においては、図５Ｇまたは図５Ｈに示すように、黒帯電粒子３８を用いた黒色表示を行う。
また、５粒子系においても、上記の４粒子系の場合と同様に、異なる色の複数の帯電粒子が表示側基板至近位置に存在する状態で、電極への電圧印加を停止することによって、それらの帯電粒子の色の混合色を表示することができる。
【００７８】
＜＜図５Ｇの説明＞＞
図５Ｅに示すような、赤帯電粒子３２、青帯電粒子３４、及び緑帯電粒子３６が表示側基板至近位置に達した状態で、更に、表示面側の共通電極１０が負極となり、背面側の画素電極１２が正極となる電圧印加を継続すると、図５Ｇに示すように、黒帯電粒子３８が表示側基板至近位置に達する。また、白帯電粒子３０も、背面側基板至近位置に達する。
この時点で電圧印加を停止すると、各帯電粒子３０〜３８の位置関係が保持され、この状態を表示面側から見たとき、最も表示面側の位置には、黒帯電粒子３８と、赤帯電粒子３２、青帯電粒子３４、及び緑帯電粒子３６の３原色とが配置されているので、隔壁８で区分された区画４０は、黒色及び３原色の混合色によって、黒色表示（その１）がなされる。
【００７９】
＜＜図５Ｈの説明＞＞
次に、赤帯電粒子３２、青帯電粒子３４、緑帯電粒子３６に引き続いて、黒帯電粒子３８が表示側基板至近位置に達した時点で（図５Ｇ参照）、電極１０と電極１２の電位関係を反転させて、表示面側の共通電極１０が正極となり、背面側の画素電極１２が負極となるように電圧を印加する。これによって、表示面側基板至近位置にいた正に帯電した赤帯電粒子３２、青帯電粒子３４、緑帯電粒子３６、及び黒帯電粒子３８は、その移動速度が高い（Ｖｒ＞Ｖｂ＞Ｖｇ＞Ｖｂｋ）順に背面側に移動する。つまり、図５Ｈに示すように、赤帯電粒子３２が青帯電粒子３４よりも背面側に進み、青帯電粒子３４が緑帯電粒子３６よりも背面側に進み、緑帯電粒子３６が黒帯電粒子３８よりも背面側に進んで、黒帯電粒子３８だけが表示側基板至近位置にいる状態が形成される。
【００８０】
この時点で電圧印加を停止すると、各帯電粒子３０〜３８の位置関係が保持され、この状態を表示面側から見たとき、最も表示面側の位置に黒帯電粒子３８の層が配置されているので、隔壁８で区分された区画４０は、黒色表示（その２）がなされる。
なお、この場合、鮮明な黒色表示を実現するには、電極１０と電極１２の電位関係の逆転により、表示面側に移動する白帯電粒子３０が、黒帯電粒子３８よりも表示面側にくることを防ぐ必要があるが、この点については、追って詳細に説明する。
【００８１】
以上のように、負に帯電した白帯電粒子３０、正に帯電し移動速度がそれぞれ異なる赤帯電粒子３２、青帯電粒子３４、緑帯電粒子３６、及び黒帯電粒子３８を用いた５粒子系の表示装置２によって、各画素に対応する隔壁８で区分された区画４０に、白、黒、及び赤、青、緑の３原色、並びにそれらの混合色を表示することができる。この場合、電界閾値を用いた電圧制御を行うことなく、つまり、複雑な電圧制御や高価な電圧制御装置を用いることなく、一定の値の電圧印加における印加時間の制御、及び電極１０と電極１２の電位関係の反転制御のみによって、容易に再現性の高い鮮明なカラー表示を実現することができる。また、白帯電粒子３０の帯電極性を、他の色の帯電粒子の帯電極性の逆極性としているので、濁りの少ない白色を表示することができる。
特に、５粒子系の本実施形態においては、上記の４粒子系の実施形態に比べて、より輝度の低い黒表示を行うことができるので、より高いコントラストのカラー表示を実現できる。
【００８２】
（各帯電粒子の移動速度に関する関係式）
次に、上記の４粒子系または５粒子系の表示装置２において、鮮明なカラー表示を実現するために必要な、正に帯電した各帯電粒子の移動速度と、負に帯電した白帯電粒子の移動速度との間の関係式について、下記に詳細に述べる。
【００８３】
帯電粒子の移動速度に関する関係式において、下記の記号を用いる。
Ｌ    ：  共通電極１０と画素電極１２との間の粒子移動可能距離
（つまり、電極間距離から帯電粒子３０〜３８の直径２Ｒ分を差し引いた距離）
Ｖｗ  ：  白（ｗｈｉｔｅ）帯電粒子３０の移動速度
Ｖｒ  ：  赤（ｒｅｄ）帯電粒子３２の移動速度
Ｖｂ  ：  青（ｂｌｕｅ）帯電粒子３４の移動速度
Ｖｇ  ：  緑（ｇｒｅｅｎ）帯電粒子３６の移動速度
Ｖｂｋ：  黒（ｂｌａｃｋ）帯電粒子３８の移動速度
Ｒ  ：    帯電粒子３０〜３８の半径
【００８４】
＜４粒子系の実施形態の場合＞
関係式１  ：  緑色表示を行う場合の関係式
始めに、図４Ｆに示すような４粒子系における緑色表示を行う場合の「帯電粒子の移動速度の関係式１」を説明する。緑色表示を行う場合には、緑帯電粒子３６だけが最も表示面側に位置するようにする必要があるが、そのためには、青帯電粒子３４及び緑帯電粒子３６が表示側基盤至近位置から背面側へ移動するときに、その移動速度の差（Ｖｂ−Ｖｇ）によって、青帯電粒子３４が、少なくとも一粒子分２Ｒだけ、緑帯電粒子３６を追い越す必要がある。つまり、そのときに要する所要時間をＴｂｇとすれば、Ｔｂｇ＝２Ｒ／（Ｖｂ−Ｖｇ）となる。
【００８５】
この時間Ｔｂｇの間、表示側基盤至近位置にいた緑帯電粒子３６（図４Ｅ参照）が、移動速度Ｖｇで背面側へ移動し、背面側基板至近位置にいた白帯電粒子３０（図４Ｅ参照）が、移動速度Ｖｗで表示面側へ移動する。この時間Ｔｂｇの間の両粒子の移動により、白帯電粒子３０が緑帯電粒子３６よりも表示面側に位置した場合には、緑色表示に白色が混入するので、鮮明な表示が妨げられる。
よって、このＴｂｇの間に、緑帯電粒子３６及び白帯電粒子３０が移動する距離の和を、電極間距離Ｌより小さくする必要がある。
従って、Ｌ＞（Ｖｇ＋Ｖｗ）×ｔｂｇ  つまり、
Ｌ  ＞  （Ｖｇ＋Ｖｗ）×２Ｒ／（Ｖｂ−Ｖｇ）
の関係（関係式１）を有する必要がある。
【００８６】
関係式２  ：  青色表示を行う場合の関係式
次に、図４Ｄに示すような４粒子系における「青色表示を行う場合の帯電粒子の移動速度の関係式２」を説明する。青色表示を行う場合には、青帯電粒子３４だけが最も表示面側に位置するようにする必要があり、そのためには、赤帯電粒子３２及び青帯電粒子３４が表示側基盤至近位置から背面側へ移動するときに、その移動速度の差（Ｖｒ−Ｖｂ）によって、赤帯電粒子３２が、少なくとも一粒子分２Ｒだけ、青帯電粒子３４を追い越す必要がある。つまり、そのときに要する所要時間をＴｒｂとすれば、Ｔｒｂ＝２Ｒ／（Ｖｒ−Ｖｂ）となる。
【００８７】
この時間Ｔｒｂの間に、表示側基盤至近位置にいた青帯電粒子３４（４Ｃ参照）が、移動速度Ｖｂで背面側へ移動し、共通電極１０から所定距離Ｌｗだけ離れた位置にいた白帯電粒子３０（図４Ｃ参照）が、移動速度Ｖｗで表示面側へ移動する。この時間Ｔｒｂの間の両粒子の移動により、白帯電粒子３０が青帯電粒子３４よりも表示面側に位置する場合には、青色表示に白色が混入するので、鮮明な表示が妨げられる。なお、距離Ｌｗを更に正確に述べれば、白帯電粒子３０の中心と共通電極１０との間の距離から、白帯電粒子３０の半径Ｒ分を差し引いた距離である。
【００８８】
ここで、図４Ｃに示すような、白帯電粒子３０の共通電極１０からの距離Ｌｗを求めると、以下のようになる。
背面側基板至近位置にいた青帯電粒子３４が移動速度Ｖｂで表示面側に移動して、表示面側基板至近位置に達する時間Ｔｂ（図４Ａ〜図４Ｃ参照）は、Ｔｂ＝Ｌ／Ｖｂとして表すことができる。この時間Ｔｂの間に、表示面側基板至近位置にいた白帯電粒子３０が移動速度Ｖｗで背面側に移動するので（図４Ａ〜図４Ｃ参照）、図４Ｃに示す白帯電粒子３０の位置における共通電極１０からの距離Ｌｗは、
Ｌｗ＝Ｖｗ×Ｔｂ＝Ｖｗ×Ｌ／Ｖｂ  となる。
【００８９】
よって、時間Ｔｒｂの間における青帯電粒子３４及び白帯電粒子３０の移動距離の和を、上記のＬｗより小さくする必要がある。
従って、Ｌｗ＞（Ｖｂ＋Ｖｗ）×Ｔｒｂ  つまり、
Ｌ  ＞  Ｖｂ／Ｖｗ×（Ｖｂ＋Ｖｗ）×２Ｒ／（Ｖｒ−Ｖｂ）
の関係（関係式２）を有する必要がある。
【００９０】
＜５粒子系の実施形態の場合＞
関係式３  ：  黒色表示を行う場合の関係式
次に、図５Ｈに示すような５粒子系における「黒色表示を行う場合の帯電粒子の移動速度の関係式３」を説明する。黒色表示を行う場合には、黒帯電粒子３８だけが最も表示面側に位置するようにする必要があるが、そのためには、緑帯電粒子３６及び黒帯電粒子３８が表示側基板至近位置から背面側へ移動するときに、その移動速度の差（Ｖｇ−Ｖｂｋ）によって、緑帯電粒子３６が、少なくとも一粒子分２Ｒだけ、黒帯電粒子３８を追い越す必要がある。つまり、そのときの所要時間をＴｇｂｋとすれば、
Ｔｇｂｋ＝２Ｒ／（Ｖｇ−Ｖｂｋ）となる。
【００９１】
この時間Ｔｇｂｋの間に、表示側基板至近位置にいた黒帯電粒子３８（図５Ｇ参照）が、移動速度Ｖｂｋで背面側へ移動し、背面側基板至近位置にいた白帯電粒子３０（図５Ｇ参照）が、移動速度Ｖｗで表示面側へ移動する。この時間Ｔｇｂｋの間の両粒子の移動により、白帯電粒子３０が黒帯電粒子３８よりも表示面側に位置する場合には、黒色表示に白色が混入するので、鮮明な表示が妨げられる。
よって、このＴｇｂｋの間に、黒帯電粒子３８及び白帯電粒子３０の移動距離の和を、電極間距離Ｌより小さくする必要がある。
従って、Ｌ＞（Ｖｂｋ＋Ｖｗ）×ｔｇｂｋ  つまり、
Ｌ＞（Ｖｂｋ＋Ｖｗ）×２Ｒ／（Ｖｇ−Ｖｂｋ）
の関係(関係式３)を有する必要がある。
【００９２】
関係式４  ：  緑色表示を行う場合の関係式
次に、図５Ｆに示すような５粒子系における「緑色表示を行う場合の帯電粒子の移動速度の関係式４」を説明する。緑色表示を行う場合には、緑帯電粒子３６だけが最も表示面側に位置するようにする必要があり、そのためには、青帯電粒子３４及び緑帯電粒子３６が表示側基板至近位置から背面側へ移動するときに、その移動速度の差（Ｖｂ−Ｖｇ）によって、青帯電粒子３４が、少なくとも一粒子分２Ｒだけ、緑帯電粒子３６を追い越す必要がある。つまり、そのときに要する所要時間をＴｂｇとすれば、Ｔｂｇ＝２Ｒ／（Ｖｂ−Ｖｇ）となる。
【００９３】
この時間Ｔｂｇの間に、表示側基板至近位置にいた緑帯電粒子３６（図５Ｅ参照）が、移動速度Ｖｇで背面側へ移動し、共通電極１０から所定距離Ｌｗ’だけ離れた位置にいた白帯電粒子３０（図５Ｅ参照）が、移動速度Ｖｗで表示面側へ移動する。この時間Ｔｂｇの間の両粒子の移動により、白帯電粒子３０が緑帯電粒子３６よりも表示面側に位置する場合には、緑色表示に白色が混入するので、鮮明な表示が妨げられる。なお、距離Ｌｗ’を更に正確に述べれば、白帯電粒子３０の中心と共通電極１０との間の距離から、白帯電粒子３０の半径Ｒ分を差し引いた距離である。
【００９４】
ここで、図５Ｅに示すような、白帯電粒子３０の共通電極１０からの距離Ｌｗ’を求めると、以下のようになる。
背面側基板至近位置にいた緑帯電粒子３６が移動速度Ｖｇで表示面側に移動して、表示面側基板至近位置に達する時間Ｔｇ（図５Ａ〜図５Ｅ（図５Ｄを除く）参照）は、Ｔｇ＝Ｌ／Ｖｇとして表すことができる。この時間Ｔｇの間に、表示面側基板至近位置にいた白帯電粒子３０が、移動速度Ｖｗで背面側に移動するので（図５Ａ〜図５Ｅ（図５Ｄを除く）参照）、図５Ｅに示す白帯電粒子３０の位置における共通電極１０からの距離Ｌｗ’は、
Ｌｗ’＝Ｖｗ×Ｔｇ＝Ｖｗ×Ｌ／Ｖｇ  となる。
【００９５】
よって、このＴｂｇの間における緑帯電粒子３６及び白帯電粒子３０の移動距離の和を、上記のＬｗ’より小さくする必要がある。
従って、Ｌｗ’＞（Ｖｇ＋Ｖｗ）×Ｔｂｇ  つまり、
Ｌ＞Ｖｇ／Ｖｗ×（Ｖｇ＋Ｖｗ）×２Ｒ／（Ｖｂ−Ｖｇ）
の関係（関係式４）を有する必要がある。
なお、５粒子系の実施形態においても、鮮明な青表示を実現するために、赤帯電粒子３２、青帯電粒子３４、及び白帯電粒子３０の間で、上記の関係式２を満たす必要がある。
【００９６】
上記の各帯電粒子の移動速度に関する関係式の算出においては、各帯電粒子３０〜３８の粒子径が同一である場合を例にとって説明したが、これに限られるものではなく、各帯電粒子の粒子径が異なる場合においても、上記と同様な考えに基づいて、帯電粒子の移動速度に関する関係式を求めることができる。
【００９７】
（本発明に係る粒子移動式表示装置のその他の実施形態の説明＞
上記の実施形態においては、負に帯電した白帯電粒子３０と、正に帯電した赤帯電粒子３２、青帯電粒子３４、緑帯電粒子３６、及び黒帯電粒子３８とを用いてカラー表示を行っているが、帯電粒子の帯電極性については、これに限られるものではなく、正負を逆転させることもできるし、その他の任意の色を用いることができる。
また、上記の実施形態では、一方の極性（上記では負極）に帯電した帯電粒子として、１種類の帯電粒子（上記では白帯電粒子）のみを設定しているが、これに限られるものではなく、正負それぞれの極性に、色及び移動速度の異なる複数種類の帯電粒子を設定することができる。
【００９８】
上記の実施形態では、帯電粒子及び溶媒を含む表示媒体が充填された湿式の粒子移動式表示装置が例示されているが、これに限られるものではなく、乾式の粒子移動式表示装置を用いることもできる。この乾式の粒子移動式表示装置は、例えば、対向する基板間に形成された密閉空間に、不活性ガスを封入し、更に、複数種類の帯電粒子を封入することにより形成することができる。また、不活性ガスの代わりに空気や窒素を充填することもできるし、更には、充填気体を乾燥して用いることもできるし、密閉空間を真空にすることもできる。
【００９９】
乾式の表示装置の場合には、電圧印加を停止した後も、移動していた粒子は慣性力によって、進行方向の基板に付着するか、または、慣性が弱い場合には、基板に到達する前に重力方向に落下する。しかし、帯電粒子の種類毎の分布（つまり、透明基板からの順序）は変更されないので、所望の色を表示することができる。また、パネルを立て掛けて利用しているときも、一方の隔壁側に偏って配置される恐れがあるが、この場合であっても、透明基板からの順序が崩れることはないので、所望の色を表示することができる。
【０１００】
上記の実施形態では、所望の色を表示するため、所望の色の粒子分布に達した時点で、印加電圧をオフにしているが、これに限られるものではなく、所望の色の粒子分布に達した時点で、帯電粒子を停止させるための逆電位の制動パルス電圧を付与することも可能である。更に、帯電粒子が印加電圧をオフにした直後に多少の流動を示す系の場合には、それを見越して、所望の色の粒子分布になる直前に印加電圧をオフすることも可能である。
【０１０１】
更に、上記の粒子移動式表示装置の実施形態と、制御装置とを備えて、粒子移動式表示装置に画像を表示する画像表示装置の実施形態も本発明に含まれる。
本発明に係る粒子移動式表示装置、及びこの表示措置を備えた画像表示装置の実施形態は、上記の実施形態に限られるものではなく、その他の様々な実施形態が本発明に含まれる。
【図面の簡単な説明】
【０１０２】
【図１】本発明に係る粒子移動式表示装置を表示面側から見た平面図である。
【図２】図１の矢印Ａ−Ａの方向から見た断面図であって、４粒子系の表示装置の内部構造を模式的に示した図である。
【図３】図１の矢印Ａ−Ａの方向から見た断面図であって、５粒子系の表示装置の内部構造を模式的に示した図である。
【図４Ａ】本発明に係る４粒子系の表示装置における表示書換の実施形態を模式的に示す断面図であって、白色表示を行う場合を示す図である。
【図４Ｂ】本発明に係る４粒子系の表示装置における表示書換の実施形態を模式的に示す断面図であって、赤色表示を行う場合を示す図である。
【図４Ｃ】本発明に係る４粒子系の表示装置における表示書換の実施形態を模式的に示す断面図であって、青色表示を行う前の書換途中の段階を示す図である。
【図４Ｄ】本発明に係る４粒子系の表示装置における表示書換の実施形態を模式的に示す断面図であって、青色表示を行う場合を示す図である。
【図４Ｅ】本発明に係る４粒子系の表示装置における表示書換の実施形態を模式的に示す断面図であって、黒色表示を行う場合を示す図である。
【図４Ｆ】本発明に係る４粒子系の表示装置における表示書換の実施形態を模式的に示す断面図であって、緑色表示を行う場合を示す図である。
【図５Ａ】本発明に係る５粒子系の表示装置における表示書換の実施形態を模式的に示す断面図であって、白色表示を行う場合を示す図である。
【図５Ｂ】本発明に係る５粒子系の表示装置における表示書換の実施形態を模式的に示す断面図であって、赤色表示を行う場合を示す図である。
【図５Ｃ】本発明に係る５粒子系の表示装置における表示書換の実施形態を模式的に示す断面図であって、青色表示を行う前の書換途中の段階を示す図である。
【図５Ｄ】本発明に係る５粒子系の表示装置における表示書換の実施形態を模式的に示す断面図であって、青色表示を行う場合を示す図である。
【図５Ｅ】本発明に係る５粒子系の表示装置における表示書換の実施形態を模式的に示す断面図であって、緑色表示を行う前の書換段階を示す図である。
【図５Ｆ】本発明に係る５粒子系の表示装置における表示書換の実施形態を模式的に示す断面図であって、緑色表示を行う場合を示す図である。
【図５Ｇ】本発明に係る５粒子系の表示装置における表示書換の実施形態を模式的に示す断面図であって、黒色表示（その１）を行う場合を示す図である。
【図５Ｈ】本発明に係る５粒子系の表示装置における表示書換の実施形態を模式的に示す断面図であって、黒色表示（その２）を行う場合を示す図である。
【符号の説明】
【０１０３】
２      （粒子移動式）表示装置
４      表示側基板
６      対向基板
８      隔壁
１０    共通電極
１２    画素電極
１４    外枠
３０    白帯電粒子
３２    赤帯電粒子
３４    青帯電粒子
３６    緑帯電粒子
３８    黒帯電粒子
４０    区画
【図１】
2009244635.tif 000003
【図２】
2009244635.tif 000004
【図３】
2009244635.tif 000005
【図４Ａ】
2009244635.tif 000006
【図４Ｂ】
2009244635.tif 000007
【図４Ｃ】
2009244635.tif 000008
【図４Ｄ】
2009244635.tif 000009
【図４Ｅ】
2009244635.tif 000010
【図４Ｆ】
2009244635.tif 000011
【図５Ａ】
2009244635.tif 000012
【図５Ｂ】
2009244635.tif 000013
【図５Ｃ】
2009244635.tif 000014
【図５Ｄ】
2009244635.tif 000015
【図５Ｅ】
2009244635.tif 000016
【図５Ｆ】
2009244635.tif 000017
【図５Ｇ】
2009244635.tif 000018
【図５Ｈ】
2009244635.tif 000019